(57)【要約】【課題】携帯端末において電池残量に応じた制御がなされる際に、より正確な消費電力量の予測に基づいて当該制御を実行できるようにすること。【解決手段】携帯電話機１００において、特定のアプリケーション（待ち受けアプリ、通話アプリ、および、メールアプリ）について、実行されるべき処理内容が入力される。待ち受けアプリについては、起動を継続する時間（待ち受け残り時間）が入力される。そして、携帯電話機１００は、これらの処理内容に必要な電力量を、当該携帯電話機１００が位置する予定の場所における電波状況に基づいて算出する。そして、携帯電話機１００は、電池残量と当該電力量との差が電池の満充電の電力量の２０％を下回ると警告を通知し、電池残量が当該電力量まで低下すると、特定のアプリケーション以外のアプリケーションの実行を停止する。【選択図】図１
2014204184.tif 000002
【特許請求の範囲】
【請求項１】
複数のアプリケーションを実行するように構成された実行手段を備えた携帯端末であって、
前記実行手段に電力を供給するための電池と、
前記電池の電池残量を検出するための検出手段と、
無線通信機能を実現するための無線通信手段と、
前記携帯端末の移動態様を記憶するための記憶手段と、
前記複数のアプリケーションの中の特定のアプリケーションの実行内容を入力するための入力手段とを備え、
前記実行手段は、
前記検出手段によって検出される前記電池の電池残量と、前記携帯端末が無線通信機能を実現させた状態で前記移動態様に従って移動したときに前記特定のアプリケーションを前記実行内容に従って実行するために必要とされる電力消費量との差が第１の条件を満たした場合に、警告を報知し、
前記電池残量が前記電力消費量まで低下した場合には、前記特定のアプリケーションのみを実行するように構成されている、携帯端末。
【請求項２】
前記電力消費量は、前記無線通信手段による無線通信機能の実現によって消費されることが予測される、通信用の消費量を含み、
前記実行手段は、前記無線通信手段と通信可能な基地局の前記移動態様に含まれる各地点についての電波状況に基づいて、前記通信用の消費量を算出するように構成されている、請求項１に記載の携帯端末。
【請求項３】
前記実行手段は、位置情報に関連付けられた電波強度であって、前記無線通信手段と通信可能な基地局からの電波の強度に基づいて、前記携帯端末が通過する各地点についての前記基地局からの電波強度を導出し、導出された当該電波強度に基づいて、前記通信用の消費量を算出するように構成されている、請求項２に記載の携帯端末。
【請求項４】
前記入力手段は、スケジュール情報の入力を受け付けるように構成されており、
前記実行手段は、前記スケジュール情報から前記移動態様を抽出するように構成されている、請求項１〜請求項３のいずれか１項に記載の携帯端末。
【請求項５】
複数のアプリケーションを実行するための実行手段に電力を供給する電池を備える、携帯端末の制御方法であって、前記携帯端末は、無線通信機能を有し、前記携帯端末の移動態様を記憶するための記憶装置とコンピュータとを備え、
前記制御方法は、
前記コンピュータが、前記電池の電池残量を検出するステップと、
前記コンピュータが、前記複数のアプリケーションの中の特定のアプリケーションの実行内容の入力を受け付けるステップと、
前記コンピュータが、検出された前記電池の電池残量と、前記携帯端末が無線通信機能を実現させた状態で前記移動態様に従って移動したときに前記特定のアプリケーションを前記実行内容に従って実行するために必要とされる電力消費量との差が所与の条件を満たした場合に、警告を報知するステップと、
前記電池残量が前記電力消費量まで低下した場合に、前記コンピュータが、前記特定のアプリケーションのみを実行するように前記実行手段を制御するステップとを備える、携帯端末の制御方法。
【発明の詳細な説明】
【技術分野】
【０００１】
本開示は、携帯端末およびその制御方法に関し、特に、電池の残量に基づいて制御可能な携帯端末およびその制御方法に関する。
【背景技術】
【０００２】
従来、携帯電話やスマートフォン（高機能携帯電話機）等の携帯端末において、電池残量に応じて当該携帯端末を制御する技術が提案されている。たとえば、特許文献１（特開２０１２−１０５２３７号公報）は、省電力のために動作パターンを制御する携帯電話を開示している。当該携帯電話は、特許文献１の請求項１等に記載されるように、測位部と、データ格納部と、制御部とを備える。測位部は、人工衛星を利用して当該携帯電話が地球上のどこにあるのかを測位する。データ格納部は、ユーザが向かおうとしている目的地を示す目的地データと、目的地までの経路上の指定地点から目的地までの区間Ａにおいて連続通話する際に必要な電池容量を示す必要電池容量データとを格納する。制御部は、当該携帯電話の動作パターンを制御する。そして、制御部は、測位部によって測位された現在地から指定地点までの区間Ｂにおいて、当該携帯電話の動作パターンを制御することによって、データ格納部に格納されている必要電池容量データによって示される電池容量を区間Ａにおいて確保する。
【先行技術文献】
【特許文献】
【０００３】
【特許文献１】特開２０１２−１０５２３７号公報
【発明の概要】
【発明が解決しようとする課題】
【０００４】
無線通信機能を有する携帯端末において、その消費電力の大きな割合を占める要素が無線機であることは、従来から知られている。そして、当該携帯端末の消費電力は、基地局との位置関係に応じて異なることも、従来から知られている。たとえば、携帯端末がいずれの基地局からの電波も受信できない、いわゆる「圏外」の状態にある場合には、通信可能な基地局を検索するために、無線機の受信回路をオンにする頻度が高くなり、これにより、当該携帯端末が基地局から電波を受信できている状態よりも、当該携帯端末の消費電力は大きくなり得る。
【０００５】
一方、上記の特許文献１における携帯端末の消費電力の制御は、当該携帯端末において通話を許可するか否かを制御するものである。このように、従来は、携帯端末の消費電力が考慮される場合、通話機能のように、携帯端末がユーザの作業のために実行する動作に要する電力のみが考慮されていた。このため、特許文献１に記載されるような制御によれば、携帯端末と基地局との位置関係が変更された場合に、消費することが予測された電力と実際に消費された電力とが大きく異なる事態が想定される。これにより、従来の携帯端末では、必要以上長い時間通話機能等の機能の利用が制限されたり、機能の利用の制限が不十分となった結果として意図していた機能を意図していた時間利用できなくなったりする場合があった。したがって、消費電力をより正確に予測することによって、携帯端末における機能の制限を最小限に抑えながら、より確実に、意図した機能を意図した態様で利用できるようにする技術が求められていた。
【０００６】
本開示は、かかる実情に鑑み考え出されたものであり、その目的は、携帯端末において電池残量に応じた制御がなされる際に、より正確な消費電力量の予測に基づいて当該制御を実行できるようにすることである。
【課題を解決するための手段】
【０００７】
ある局面に従った携帯端末は、複数のアプリケーションを実行するように構成された実行手段を備えた携帯端末が提供される。携帯端末は、実行手段に電力を供給するための電池と、電池の電池残量を検出するための検出手段と、無線通信機能を実現するための無線通信手段と、携帯端末の移動態様を記憶するための記憶手段と、複数のアプリケーションの中の特定のアプリケーションの実行内容を入力するための入力手段とを備える。実行手段は、検出手段によって検出される電池の電池残量と、携帯端末が無線通信機能を実現させた状態で移動態様に従って移動したときに特定のアプリケーションを実行内容に従って実行するために必要とされる電力消費量との差が第１の条件を満たした場合に、警告を報知し、電池残量が電力消費量まで低下した場合には、特定のアプリケーションのみを実行するように構成されている。
【０００８】
好ましくは、電力消費量は、無線通信手段による無線通信機能の実現によって消費されることが予測される、通信用の消費量を含む。実行手段は、無線通信手段と通信可能な基地局の移動態様に含まれる各地点についての電波状況に基づいて、通信用の消費量を算出するように構成されている。
【０００９】
好ましくは、実行手段は、位置情報に関連付けられた電波強度であって、無線通信手段と通信可能な基地局からの電波の強度に基づいて、携帯端末が通過する各地点についての基地局からの電波強度を導出し、導出された当該電波強度に基づいて、通信用の消費量を算出するように構成されている。
【００１０】
好ましくは、入力手段は、スケジュール情報の入力を受け付けるように構成されている。実行手段は、スケジュール情報から移動態様を抽出するように構成されている。
【００１１】
好ましくは、実行手段は、電池残量と電力消費量の差が第１の条件を満たすか、また、電池残量が電力消費量に到達したかを、一定時間ごとに判断する。
【００１２】
好ましくは、入力手段は、優先的に実行する所定のアプリケーションを特定する情報の入力を受け付け、実行手段は、電池残量と電力消費量の差が第１の条件を満たした後、さらに電池残量が減少し、電池残量と電力消費量の差が第２の条件を満たした場合、電池残量が電力消費量に到達するまでの間、特定のアプリケーションまたは所定のアプリケーションのみを実行する。
【００１３】
好ましくは、特定のアプリケーションは、２種類以上のアプリケーションを含み、実行手段は、特定のアプリケーションのそれぞれについて、実行内容に従ったアプリケーションの実行が完了すると、当該アプリケーションを強制終了する。
【００１４】
他の局面に従うと、複数のアプリケーションを実行するための実行手段に電力を供給する電池を備える、携帯端末の制御方法が提供される。携帯端末は、無線通信機能を有し、携帯端末の移動態様を記憶するための記憶装置とコンピュータとを備える。制御方法は、コンピュータが、電池の電池残量を検出するステップと、コンピュータが、複数のアプリケーションの中の特定のアプリケーションの実行内容の入力を受け付けるステップと、コンピュータが、検出された電池の電池残量と、携帯端末が無線通信機能を実現させた状態で移動態様に従って移動したときに特定のアプリケーションを実行内容に従って実行するために必要とされる電力消費量との差が所与の条件を満たした場合に、警告を報知するステップと、電池残量が電力消費量まで低下した場合に、コンピュータが、特定のアプリケーションのみを実行するように実行手段を制御するステップとを備える。
【発明の効果】
【００１５】
本開示によれば、携帯端末において電池残量に応じた制御がなされる際に、より正確な消費電力量の予測に基づいて当該制御を実行できるようになる。
【図面の簡単な説明】
【００１６】
【図１】携帯端末の一実施の形態である携帯電話機の外観を模式的に示す図である。
【図２】携帯電話機のハードウェア構成を模式的に示す図である。
【図３】携帯電話機の機能ブロック図である。
【図４】中央処理部が実行するユーザ設定受付処理のフローチャートである。
【図５】中央処理部が実行する電池残量チェック処理のフローチャートである。
【図６】待ち受けアプリのうち、アプリ制御処理に関与する部分の処理のフローチャートである。
【図７】通話アプリのうち、アプリ制御処理に関与する部分の処理のフローチャートである。
【図８】メールアプリのうち、アプリ制御処理に関与する部分の処理のフローチャートである。
【図９】携帯電話機において、電池残量に応じて実行される処理の内容の一例を示す図である。
【図１０】携帯電話機において、電池残量に応じて実行される処理の内容の他の例を示す図である。
【発明を実施するための形態】
【００１７】
以下、本開示の携帯端末の実施の形態について、図面を参照して説明する。以下の説明において、同一の機能および作用を有する部品は、各図を通して同じ符号を付し、重複する説明を繰返さない。
【００１８】
［携帯端末の外観］
図１を参照して、携帯電話機の外観を説明する。図１に示されるように、携帯電話機１００の一側面には、タッチパネル３０が設けられている。タッチパネル３０は、液晶ディスプレイ等からなる表示装置を含む。タッチパネル３０には、ウェブページ等のネットワーク上の文書や、携帯電話機１００内に格納されるアドレス帳や、メーラによるメール作成画面等の、種々の情報が表示される。
【００１９】
［携帯端末のハードウェア構成］
図２を参照して、携帯電話機１００のハードウェア構成を説明する。図２に示されるように、携帯電話機１００は、当該携帯電話機１００の動作を全体的に制御する中央処理部５０を含む。中央処理部５０は、記憶部１２等に格納されたプログラムを実行するＣＰＵ（Central  Processing  Unit）を含む。
【００２０】
携帯電話機１００は、さらに、図示せぬアンテナによるデータの送受信の際の信号の処理等を行なう通信制御部（ＲＦ）１１と、フラッシュメモリやｅＭＭＣ（Embedded  MultiMediaCard）等からなる記憶部１２と、プログラムの実行に際してのワークエリア等として機能するＲＡＭ（Random  Access  Memory）１３と、電池ユニット１４と、音声入出力部６０と、ユーザによって操作されるキー７０と、カメラ８０と、携帯電話機１００の本体の姿勢を検出するためのセンサ９０とを含む。音声入出力部６０は、音声を入力するマイクロフォン６１と、音声を出力するスピーカ６２とを含む。電池ユニット１４は、携帯電話機１００に電力を供給するための電池と、当該電池の電圧等を計測するためのＦＧＩＣ（Fuel  Gauge  Integrated  Circuit）とを含む。
【００２１】
タッチパネル３０は、ディスプレイ３１と、タッチセンサ３２とを含む。タッチセンサ３２は、ディスプレイ３１に重畳されて設置される。
【００２２】
中央処理部５０（ＣＰＵ）が実行するプログラムは、携帯電話機１００の本体に対して着脱可能な記憶媒体に格納されていても良い。記憶媒体としては、ＣＤ−ＲＯＭ（Compact  Disk  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disk）、ＭＤ（Mini  Disk）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read  Only  Memory）などの、不揮発的にプログラムを格納する媒体が挙げられる。
【００２３】
中央処理部５０が携帯電話機１００にインストールされているアプリケーションを実行することにより、携帯電話機１００は、種々の機能を実現する。このようなアプリケーションとしては、他の端末と通話するためのアプリケーション（通話アプリ）や、電子メールの送受信のためのアプリケーション（メールアプリ）や、スケジュールを管理するためのアプリケーション（スケジュールアプリ）、その他のアプリケーション（その他のアプリ）がある。
【００２４】
また、携帯電話機１００には、携帯電話機１００のハードウェア要素についての種々のドライバソフトウェアがインストールされている。このようなドライバソフトウェアとしては、マイクロフォン６１やスピーカ６２による音声の入出力を制御するためのドライバ（入出力ドライバ）や、上記電池の電池残量の算出等のためのドライバ（バッテリドライバ）や、カメラ８０やディスプレイ３１等のその他の要素の制御のためのドライバ（その他のドライバ）がある。
【００２５】
［携帯端末の機能ブロック］
図３は、携帯電話機１００の機能ブロック図である。
【００２６】
図３を参照して、携帯電話機１００は、その機能として、省電力制御部１１０と、ユーザ入力部１２０と、ユーザ出力部１３０と、電池残量取得部１４０と、アプリ管理部１５０と、通話アプリ部１６０と、その他アプリ部１７０と、メールアプリ部１８０と、スケジュールアプリ部１９０とを含む。
【００２７】
省電力制御部１１０は、後述するアプリ制御処理において、ユーザから入力される設定条件等の情報を受け付けたり、アプリケーションの実行について制限を加えたりする。具体的には、ユーザによるアプリケーションの選択等のユーザ設定を受け付け、また、電池残量に応じて、ユーザへの通知や携帯電話機１００におけるアプリケーションの実行についての制限の指示を行う。省電力制御部１１０は、たとえば、上記ＣＰＵが所定のプログラムを実行することによって、実現される。
【００２８】
ユーザ入力部１２０は、後述するアプリ制御処理において利用される設定内容であって、ユーザから、待ち受け時間や通話時間やメール回数の入力を受け付け、また、優先的に使用を希望するアプリケーションを特定する情報の入力を受け付ける。ユーザ入力部１２０は、たとえばタッチセンサ３２やキー７０等によって実現される。
【００２９】
ユーザ出力部１３０は、ディスプレイ３１等の表示装置に、ユーザに対する警告等の通知を行ったり、携帯電話機１００におけるアプリケーションの使用履歴を表示したりする。ユーザ出力部１３０は、たとえば上記ＣＰＵが適切なアプリケーションプログラムを実行することによって、実現される。
【００３０】
電池残量取得部１４０は、携帯電話機１００に電力を供給する上記電池の電池残量を、たとえば一定時間ごとに、または、所定のアプリケーションから要求がなされたタイミングで、検出する。電池残量取得部１４０は、たとえば、電池ユニット１４の電池以外の部分によって、実現される。
【００３１】
アプリ管理部１５０は、省電力制御部１１０からの指示に従って、または、ユーザからの入力や他の装置からの入力に従って、携帯電話機１００にインストールされているアプリケーションに関し、実行するか否か、実行のタイミング、または、実行の内容を制御する。アプリ管理部１５０は、たとえば、上記ＣＰＵが適切なプログラムを実行することによって実現される。
【００３２】
通話アプリ部１６０は、アプリ管理部１５０からの指示に従って、通話アプリの実行を制御する。具体的には、本実施の形態では、通話アプリ部１６０は、たとえば、通話アプリに関しユーザから通話時間が設定された場合には、当該通話時間分の通話を可能とするための処理を実行する。通話アプリ部１６０は、たとえば、上記ＣＰＵが適切なプログラムを実行することによって、実現される。
【００３３】
メールアプリ部１８０は、アプリ管理部１５０からの指示に従って、メールアプリの実行を制御する。具体的には、本実施の形態では、メールアプリ部１８０は、たとえば、メールアプリに関しユーザからメール送信回数が設定された場合には、当該回数分のメール送信を可能とするための処理を実行する。メールアプリ部１８０は、たとえば、上記ＣＰＵが適切なプログラムを実行することによって、実現される。
【００３４】
スケジュールアプリ部１９０は、アプリ管理部１５０からの指示に従って、スケジュールアプリの実行を制御する。具体的には、本実施の形態において、スケジュールアプリ部１９０は、種々のスケジュール情報をカレンダ情報に関連付けて管理する。管理されるスケジュール情報は、ユーザから入力されたものだけでなく、他のアプリケーションにおいて処理されたファイルから取得したものも含み得る。より具体的には、スケジュールアプリ部１９０は、他のアプリケーションにおいて処理されるファイルにおいてスケジュール情報と予測されるデータからスケジュール情報を抽出して、カレンダ情報に関連付けて格納し得る。たとえば、或るファイルに日時についての記述が含まれる場合、スケジュールアプリ部１９０は、当該記述に対して所与の関連性に基づいて記載されたイベント名や場所を抽出し、カレンダ上の当該日時と関連付けて格納し得る。スケジュールアプリ部１９０は、たとえば、上記ＣＰＵが適切なプログラムを実行することによって、実現される。
【００３５】
その他アプリ部１７０は、後述するアプリ制御処理において選択されたアプリケーション以外のアプリケーションの実行に対して制限を加えるための処理を実行する。その他アプリ部１７０は、たとえば上記ＣＰＵが適切なプログラムを実行することによって、実現される。
【００３６】
［アプリ制御処理］
アプリ制御処理は、特定のアプリケーションを、最低限、設定された内容（待ち受け残り時間等）の分だけ実行することができるようにするための処理である。本実施の形態では、「特定のアプリケーション」の具体例として、通話アプリとメールアプリと待ち受けアプリが例示されている。なお、「特定のアプリケーション」の数や種類は、これらに限定されない。
【００３７】
携帯電話機１００では、中央処理部５０は、電池ユニット１４を利用して、一定時間毎に電池の電池残量を検出する。そして、当該検出結果に基づいて、中央処理部５０は、各アプリケーションの実行態様を制御する。
【００３８】
アプリ制御処理では、ユーザは、「利用時間」を設定することができる。「利用時間」とは、特定のアプリケーションに対する設定内容の一部であり、具体的には、特定アプリケーションの１つである待ち受けアプリの実行を最低限継続する時間である。たとえば、「利用時間」は、携帯電話機１００を携帯するユーザが、次に当該携帯電話機１００の電池を充電することができるときまでの時間である。ユーザが外出先にいて、次回電池を充電するために５時間掛かる場合、ユーザは、その時点で「利用時間」を「５時間」と設定する。
【００３９】
また、アプリ制御処理では、ユーザは、通話残り時間を設定することができる。「通話残り時間」とは、特定のアプリケーションに対する設定内容の一部であり、具体的には、特定のアプリケーションの１つである通話アプリにおいて通話処理を最低限実行する時間である。
【００４０】
また、アプリ制御処理では、ユーザは、メール残り回数を設定することができる。「メール残り回数」とは、特定のアプリケーションに対する設定内容の一部であり、具体的には、特定のアプリケーションの１つであるメールアプリにおいて最低限メールの送受信を実行する回数である。
【００４１】
携帯電話機１００では、一定時間毎に電池残量が検出される。そして、検出された電池残量から、上記した特定のアプリケーションに対する設定内容を実現するために必要とされる電力量が差し引かれる。そして、このように得られた電力量の差（電池残量から特定のアプリケーションの実現に必要な電力量を差し引かれた電力量）の、携帯電話機１００の電池の満充電における電力量に対する割合が算出される。以下、本明細書では、当該割合を「差分割合」と呼ぶ。
【００４２】
また、特定のアプリケーションに対する設定内容を実現するために必要とされる電力量とは、「利用時間」については、「利用時間」によって特定される時刻まで待ち受けアプリを継続して実行するために必要な電力量である。たとえば、午後２時に「利用時間」を「５時間」と設定された場合には、その日の午後７時まで待ち受けアプリを継続して実行するための電力量である。午後３時に算出される場合には、待ち受けアプリを４時間継続して実行するのに必要な電力量である。
【００４３】
携帯電話機１００では、たとえば記憶部１２に、単位時間（たとえば１分間）の待ち受けアプリの実行に必要な電力量が基準値として登録されている。アプリ制御処理では、当該基準値が用いられて、上記電力量が算出される。
【００４４】
より具体的には、携帯電話機１００では、単位時間当たりの待ち受けアプリの実行に必要な電力量が、電波状況（電波強度等）と関連付けられて登録されている。一方、省電力制御部１１０は、スケジュール情報から、各時間帯において携帯電話機１００が位置することが予定される場所を取得する。スケジュール情報は、スケジュールアプリ部１９０によって編集される。また、省電力制御部１１０は、所与のサーバと通信すること等により、各時間帯の各場所における電波状況（電波強度等）の予測情報を取得する。そして、省電力制御部１１０は、各時間帯において携帯電話機１００が位置することが予測される場所において単位時間ごとに待ち受けアプリの実行に必要な電力量を算出することにより、待ち受けアプリを上記した設定内容を実現するために実行するときに必要とされる電力量を算出する。これにより、待ち受けアプリの実行に必要な電力量が、携帯電話機１００が位置する電波状況に基づいて、算出される。
【００４５】
「通話残り時間」については、「通話残り時間」で特定される時間分通話処理を実行するために必要な電力量である。たとえば、「通話残り時間」として「９０分」が設定された場合には、９０分間の通話処理に必要な電力量である。携帯電話機１００では、たとえば記憶部１２に、単位時間（たとえば１分間）の通話処理に必要な電力量の基準値が登録されている。アプリ制御処理では、当該基準値が用いられて、上記電力量が算出される。
【００４６】
より具体的には、携帯電話機１００では、単位時間当たりの通話アプリの実行に必要な電力量が、電波状況（電波強度等）と関連付けられて登録されている。一方、省電力制御部１１０は、スケジュール情報から、各時間帯において携帯電話機１００が位置することが予定される場所を取得する。また、省電力制御部１１０は、所与のサーバと通信すること等により、各時間帯の各場所における電波状況（電波強度等）の予測情報を取得する。そして、省電力制御部１１０は、各時間帯において携帯電話機１００が位置することが予測される場所において単位時間ごとに通話アプリの実行に必要な電力量を算出することにより、通話アプリを上記した設定内容を実現するために実行するときに必要とされる電力量を算出する。これにより、通話アプリの実行に必要な電力量が、携帯電話機１００が位置する電波状況に基づいて、算出される。
【００４７】
なお、「通話残り時間」設定後に通話処理が実行されると、通話処理が実行された時間分、「通話残り時間」が減算される。たとえば、「通話残り時間」として「９０分」が設定された後、１０分間通話処理が実行されれば、その後の上記電力量としては、９０分から１０分を差し引いた、８０分間の通話処理に必要な電力量が算出される。
【００４８】
「メール残り回数」については、「メール残り回数」で特定される回数だけメールの送受信を実行するために必要な電力量である。携帯電話機１００では、たとえば記憶部１２に、１回のメールの送受信（送信または受信）に必要な電力量が基準値として登録されている。アプリ制御処理では、当該基準値が用いられて、上記電力量が算出される。
【００４９】
より具体的には、携帯電話機１００では、１回のメールの送受信に必要な電力量が、電波状況（電波強度等）と関連付けられて登録されている。一方、省電力制御部１１０は、スケジュール情報から、各時間帯において携帯電話機１００が位置することが予定される場所を取得する。また、省電力制御部１１０は、所与のサーバと通信すること等により、各時間帯の各場所における電波状況（電波強度等）の予測情報を取得する。そして、省電力制御部１１０は、各時間帯において携帯電話機１００が位置することが予測される場所において１回のメールの送受信に必要な電力量を算出することにより、「メール残り回数」で特定される回数だけメールを送受信するために必要とされる電力量を算出する。これにより、メールアプリの実行に必要な電力量が、携帯電話機１００が位置する電波状況に基づいて、算出される。
【００５０】
なお、「メール残り回数」設定後にメールの送信または受信が実行されると、当該回数分、「メール残り回数」が減算される。たとえば、「メール残り回数」として「１０回」が設定された後、１回のメール送信と２回のメール受信が行なわれた場合には、その後の上記電力量としては、１０回から送信分の１回と受信分の２回を差し引いた、７回分のメールの送受信に必要な電力量が算出される。
【００５１】
アプリ制御処理では、「利用時間」と「通話残り時間」と「メール残り回数」は、それぞれ、選択的に設定され得る。つまり、これらのすべてが設定されても良いし、これらの一部が設定されても良い。特定のアプリケーションに対する設定内容を実現するために必要とされる電力量とは、「利用時間」と「通話残り時間」と「メール残り回数」のうち、アプリ設定処理において設定されたものについての必要な電力量の和である。
【００５２】
以下に、アプリ制御処理の実行が指示された後に実行される個々の処理内容を説明する。個々の処理内容は、ユーザ設定受付処理と、電池残量チェック処理と、特定のアプリケーションのそれぞれを実行するための処理とを含む。つまり、本明細書では、「アプリ制御処理」とは、これらの各処理の総称を意味する。そして、ユーザ設定受付処理は、上記した特定のアプリケーションについて、ユーザからの設定内容を受け付ける処理である。電池残量チェック処理は、上記した差分割合に基づいて各アプリケーションの実施態様を制御する処理である。
【００５３】
＜ユーザ設定受付処理＞
図４を参照して、中央処理部５０が実行するユーザ設定受付処理について説明する。図４は、当該処理のフローチャートである。
【００５４】
図４に示されるように、中央処理部５０は、まずステップＳＡ１０において、ユーザから、タッチセンサ３２等を介して、上記した「利用時間」（図４中の「待ち受け残り時間」）の入力を受付け、ステップＳＡ２０へ制御を進める。
【００５５】
ステップＳＡ２０では、中央処理部５０は、ステップＳＡ１０において入力を受付けた「利用時間」分のタイマを開始させる。本明細書では、ここで開始させたタイマを、適宜「待ち受けタイマ」という。なお、ステップＳＡ１０では、ユーザから「利用時間」を設定しない旨の入力がなされる等、「利用時間」が設定されない場合もあり得る。この場合には、ステップＳＡ２０は省略される。
【００５６】
次に、中央処理部５０は、ステップＳＡ３０で、ユーザから上記した「通話残り時間」の入力を受付け、ステップＳＡ４０で、ＲＡＭ１３等に、受け付けた内容を保持する。なお、ステップＳＡ３０では、ユーザから「通話残り時間」を設定しない旨の入力がなされる等、「通話残り時間」が設定されない場合もあり得る。この場合には、ステップＳＡ４０は省略される。「保持」とは、たとえば、記憶部１２に情報を登録することである。
【００５７】
次に、中央処理部５０は、ステップＳＡ５０で、ユーザから上記した「メール残り回数」の入力を受付け、ステップＳＡ６０で、ＲＡＭ１３等に、受け付けた内容を保持し、そして、ステップＳＡ７０へ制御を進める。なお、ステップＳＡ５０では、ユーザから「メール残り回数」を設定しない旨の入力がなされる等、「メール残り回数」が設定されない場合もあり得る。この場合には、ステップＳＡ６０は省略される。
【００５８】
中央処理部５０は、ステップＳＡ７０で、ユーザからのスケジュール情報の入力を受け付け、そして、ステップＳＡ８０で、入力されたスケジュール情報を保持する。
【００５９】
＜電池残量チェック処理＞
図５は、中央処理部５０が実行する電池残量チェック処理のフローチャートである。当該処理は、アプリ制御処理において、図４を参照して説明したユーザ設定受付処理が実行された後、たとえば一定時間（たとえば、１分間）ごとに、実行される。以下、図５を参照して、当該処理の内容を説明する。
【００６０】
図５のユーザ設定受付処理では、中央処理部５０は、まずステップＳＥ００において、携帯電話機１００において保持されているスケジュール情報に含まれる各場所の、電波状況を取得して、ステップＳＥ１０へ制御を進める。中央処理部５０は、たとえば所与のサーバと通信することにより、または、記憶部１２に格納されているテーブル等の情報を参照することにより、上記した各場所の電波状況を取得する。
【００６１】
中央処理部５０は、所与のサーバ（携帯電話機１００に通信サービスを提供する事業者のサーバ）から、直接的に上記場所に対応する電波状況を取得することもできるし、当該サーバが提供する電波状況に基づいて、上記場所の電波状況を予測することもできる。後者の場合、中央処理部５０は、たとえば、所与のサーバから各領域の電波状況の情報を取得し、各場所がどの領域に所属するかを特定し、そして、特定された領域の電波状況を抽出することにより、各場所の電波状況を予測する。
【００６２】
次に、ステップＳＥ１０では、中央処理部５０は、電池ユニット１４からその時点での電池残量を取得し、そして、上記した「差分割合」を算出する。
【００６３】
次に、ステップＳＥ２０では、中央処理部５０は、ステップＳＥ１０で算出した「差分割合」が、アプリ制御処理開始後、初めて、１０％以上２０％以下の範囲に到達したか否かを判断する。そして、そうであると判断するとステップＳＥ３０へ制御を進め、そうではないと判断するとステップＳＥ４０へ制御を進める。なお、処理は、「初めて」この範囲に入ったときにステップＳＥ３０へ進められるのであって、今回のアプリ制御処理においてすでにステップＳＥ３０へ処理が進められたことがある場合には、「差分割合」が上記範囲に属していてもステップＳＥ３０へは処理は進められない。
【００６４】
ステップＳＥ３０では、中央処理部５０は、ユーザに警告を通知して、処理を終了させる。ここでの警告の通知は、たとえば、所定のメッセージがディスプレイ３１に表示されることにより、実現される。所定のメッセージとは、「設定された処理内容を確実に実行するためには、電力消費の節約が必要です。」のような、電池残量が、図４を参照して説明したように設定された内容を確実に実行するために必要な電力量に近づいていることをユーザに認識させる内容である。
【００６５】
後述するように、電池残量が、さらに設定内容に必要な電力量に近づいたり、当該電力量そのものとなった場合には、携帯電話機１００では、アプリケーションの実行に一定の制限が課される。本実施の形態では、このような制限を課す前に、ユーザに警告を通知することにより、いきなりアプリケーションの実行に制限が課されることによってユーザが被る不便を回避することができる。
【００６６】
ステップＳＥ４０では、中央処理部５０は、「差分割合」が０％より大きいが１０％未満であるような範囲に、アプリ制御処理の開始後初めて到達したか否かを判断する。そして、そうであると判断すると、ステップＳＥ５０へ制御を進め、そうではないと判断すると（つまり、この範囲以外の値、もしくは、この範囲に到達したのが初めてではない）、ステップＳＥ８０へ制御を進める。
【００６７】
ステップＳＥ５０では、中央処理部５０は、携帯電話機１００における、アプリケーションの使用履歴をディスプレイ３１に表示させて、ステップＳＥ６０へ制御を進める。たとえば、中央処理部５０は、携帯電話機１００においてインストールされているアプリケーションの使用履歴を、記憶部１２等に格納している。そして、中央処理部５０は、ステップＳＥ５０では、たとえば使用回数が多い順に、アプリケーションの使用履歴を表示させる。
【００６８】
次に、ステップＳＥ６０で、中央処理部５０は、ステップＳＥ５０で表示させた使用履歴の中から、ユーザが使用を希望するアプリケーションの選択の入力を受付け、ステップＳＥ７０へ制御を進める。
【００６９】
ステップＳＥ７０では、中央処理部５０は、ステップＳＥ６０で選択を受付けたアプリケーションと特定のアプリケーションのみを実行可能に設定して、処理を終了させる。これにより、たとえば、実行可能に設定されたアプリケーション以外のアプリケーションの実行が指示されても、中央処理部５０は、指示されたアプリケーションを実行しない。この場合、中央処理部５０は、ディスプレイ３１に、たとえば「指示されたアプリケーションは、現在は、省電力モードのため、実行できません。」等のメッセージを表示させる。
【００７０】
一方、ステップＳＥ８０では、ステップＳＥ１０で算出した「差分割合」が０％であるか否か、つまり、電池残量が、設定された内容（図４参照）の処理を実行するために必要とされる電力量まで低下したか否かを判断し、そうであると判断するとステップＳＥ９０へ制御を進め、そうではないと判断すると、そのまま処理を終了させる。
【００７１】
ステップＳＥ９０では、特定のアプリケーションのみを実行可能に設定して、処理を終了させる。特定のアプリケーションのうち、待ち受けアプリは、開始を指示されることなく実行されるアプリケーションである。したがって、ステップＳＥ９０の設定がなされた後は、中央処理部５０は、通話アプリまたはメールアプリについては開始の指示を受け付けるが、それ以外のアプリケーションの開始の指示は受け付けない。ここでも、中央処理部５０は、ディスプレイ３１に、たとえば「指示されたアプリケーションは、現在は、省電力モードのため、実行できません。」等のメッセージを表示させても良い。
【００７２】
＜待ち受けアプリ＞
図６は、待ち受けアプリのうち、アプリ制御処理に関与する部分の処理のフローチャートである。待ち受けアプリでは、中央処理部５０は、ユーザからの、他のアプリケーションの開始指示を受け付ける等の処理を実行する。当該処理と並行して、中央処理部５０は、図６に示す処理を実行する。
【００７３】
図６を参照して、中央処理部５０は、ステップＳＢ１０で、ステップＳＡ２０（図４参照）で開始させた待ち受けタイマが終了したか否かを判断する。
【００７４】
そして、終了したと判断すると、中央処理部５０は、ステップＳＢ２０で、その旨を通知して、処理を終了する。ここでの通知は、たとえば、「設定された利用時間が経過しました。」等のメッセージがディスプレイ３１に表示されることによって、実現される。
【００７５】
なお、ステップＳＡ１０において「利用時間」が設定されなかった場合には、図６に示された処理は、省略される。
【００７６】
＜通話アプリ＞
図７は、通話アプリのうち、アプリ制御処理に関与する部分の処理のフローチャートである。通話アプリでは、中央処理部５０は、ユーザからの指示に基づいて発呼処理を行ったり、着呼信号の受信に基づいて着信を報知したりする。中央処理部５０は、携帯電話機１００において、着信に応じて通話を開始するとき、または、通話のための発信を開始するときに、図７に示される処理を開始する。
【００７７】
図７を参照して、中央処理部５０は、まずステップＳＣ１０で、ステップＳＡ３０において、通話残り時間の設定がなされているか否かを判断し、なされていないと判断するとステップＳＣ２０で、ユーザの操作に従って通話の開始や終了を制御する。一方、ステップＳＣ１０において通話残り時間が設定されていると判断すると、中央処理部５０は、ステップＳＣ３０へ制御を進める。
【００７８】
ステップＳＣ３０では、中央処理部５０は、通話の残り時間が０まで減少したか否かを判断し、まだ減少していないと判断するとステップＳＣ４０へ制御を進め、既に減少していると判断すると、それ以上通話（発呼または着呼に対する応答）の操作を受付けることなく、処理を終了する。これにより、携帯電話機１００では、ユーザが指示でしても通話ができない状態となる。なお、この場合、たとえば、「電池残量の関係により、通話ができない状態となっています。」等のメッセージがディスプレイ３１に表示されることが好ましい。
【００７９】
ステップＳＣ４０では、中央処理部５０は、通話残り時間のタイマを開始させて、ステップＳＣ５０へ制御を進める。ここでの通話残り時間のタイマの残量は、ステップＳＡ４０でセットされた時間であるが、ステップＳＡ４０で設定された後に、後述するステップＳＣ９０で更新されている場合には、当該更新後の残り時間である。
【００８０】
ステップＳＣ５０では、中央処理部５０は、ユーザからの操作に従って、通話処理を開始する。中央処理部５０は、当該通話処理の開始とともに、通話処理中、ステップＳＡ３０で設定された通話残り時間（または、その後にステップＳＣ９０で更新された後の通話残り時間）を減少させる。
【００８１】
そして、当該通話が、通話残り時間のタイマ０になる前に、つまり、通話残り時間が満了する前に終了した場合には、ステップＳＣ６０へ処理が進められ、当該通話中に上記通話残り時間が満了した場合には、ステップＳＣ７０からステップＳＣ８０へ処理が進められる。
【００８２】
ステップＳＣ８０では、中央処理部５０は、通話を強制的に終了させて、ステップＳＣ９０へ制御を進める。このとき、当該通話の強制終了が、ステップＳＡ３０におけるユーザの設定に基づいて行なわれることが報知されてもよい。たとえば、通話相手に、「電池残量の関係により、通話が強制的に終了されます。」等の音声メッセージが再生される。
【００８３】
ステップＳＣ６０で通話を終了させると、中央処理部５０は、ステップＳＣ９０へ制御を進める。
【００８４】
ステップＳＣ９０では、ステップＳＣ５０で通話を継続させた時間だけ、通話残り時間が差引かれて、更新される。つまり、たとえば、ステップＳＡ３０において１時間の通話残り時間が設定され、「３０分」の通話がステップＳＣ５０で行なわれると、当該通話後の通話残り時間が「３０分」とされる。そして、さらに、その後５分の通話がなされれば、さらに当該時間「５分」減算されて、２５分として再度設定される。ステップＳＣ８０で通話を強制終了させた後では、ステップＳＣ９０では、通話残り時間は０へと更新される。
【００８５】
＜メールアプリ＞
図８は、メールアプリのうち、アプリ制御処理に関与する部分の処理のフローチャートである。メールアプリでは、中央処理部５０は、ユーザからの指示に基づいてメールの送受信を行う。中央処理部５０は、携帯電話機１００において、メールの送信または受信の指示操作がなされたときに、図８に示される処理を開始する。
【００８６】
図８を参照して、ステップＳＤ１０では、中央処理部５０は、ステップＳＡ５０（図４参照）において、メール残り回数が設定されているか否かを判断し、設定されていないと判断するとステップＳＤ２０で、ユーザからの操作に応じてメールの送受信の処理を実行して、処理を終了する。
【００８７】
一方、メール残り回数が設定されていると判断すると、中央処理部５０は、ステップＳＤ３０へ制御を進める。
【００８８】
ステップＳＤ３０では、中央処理部５０は、メール残り回数が０であるか否かを判断し、そうであると判断すると、中央処理部５０は、ユーザからのメールの送受信についての操作を受付けることなく、処理を終了させる。
【００８９】
一方、メール残り回数が０ではないと判断すると、つまり、１以上であると判断すると、中央処理部５０は、ステップＳＤ４０へ制御を進める。
【００９０】
ステップＳＤ４０では、中央処理部５０は、ユーザからの操作に応じて、メールの送受信を実行し、ステップＳＤ５０へ制御を進める。
【００９１】
ステップＳＤ５０では、中央処理部５０は、ステップＳＤ４０で行なった処理に基づいて、ステップＳＡ５０で設定された（または、これまでの処理においてステップＳＤ５０で更新された後の）メール残り回数から、１減算させて更新登録して、処理を終了する。
【００９２】
これにより、メールの送信または受信が実行される毎に、ステップＳＡ５０で設定されたメール残り回数が、１ずつ減算されて、更新される。そして、当該メール残り回数が０になると、ステップＳＤ３０で、ユーザからのメールの送受信操作が受付けられなくなる。
【００９３】
以上、図８を参照して説明された処理により、アプリ制限処理では、ステップＳＡ５０で設定されたメール残り回数だけ、メールの送受信処理が実行される。
【００９４】
［アプリ実行制御処理のまとめ］
図９を参照して、電池残量に応じて実行される処理の内容を説明する。
【００９５】
図９において、実線Ｌ１は、電池残量の時間変化を示している。また、図９において、破線ＬＡ１１は、携帯電話機１００において、ステップＳＡ５０で設定された通話残り時間分通話処理を行うために必要とされる電力量と、ステップＳＡ７０で設定されたメール残り回数分メールの送受信を行うために必要とされる電力量の和を示している。
【００９６】
図９において、一点鎖線ＬＡ１２は、上記した破線ＬＡ１１の電力量に、待ち受け残り時間分待受けアプリを実行するのに必要とされる電力量を加えた電力量である。つまり、一点鎖線ＬＡ１２と破線ＬＡ１１の差は、待ち受け残り時間分待ち受けアプリを実行するのに必要とされる電力量を示す。待ち受け残り時間は、時間の経過とともに減少する。これに伴い、一点鎖線ＬＡ１２と破線ＬＡ１１の差も、時間の経過とともに減少する。
【００９７】
図９には、時間変化とともに、「電波状況：良い」「電波状況：悪い」というように、携帯電話機１００が位置することが予定される場所の電波状況が記載されている。電波状況が「良い」とは、たとえば、基地局が発信する通信用の電波を、携帯電話機１００が、所与の強度以上の強度で受信できる場所を意味する。電波状況が「悪い」とは、たとえば、基地局が発信する通信用の電波を、携帯電話機１００が、所与の強度未満の強度でしか受信できない場所を意味する。図９に示された例では、時刻Ｔ１１までは、携帯電話機１００は、電波状況が良い場所に位置することが予定されている。また、時刻Ｔ１１では、携帯電話機１００は、電波状況が悪い位置へど移動する予定である。そして、時刻Ｔ１２に、携帯電話機１００は、電子状況が悪い位置から良い位置へと移動する予定である。
【００９８】
携帯電話機１００が位置することが予想される場所は、たとえば、スケジュール情報に基づいて特定される。本実施の形態では、待ち受けアプリや通話アプリを実行するために必要とされることが予測される単位時間あたりの電力量は、携帯電話機１００が位置することが予定される場所の電波状況に基づいて、算出される。
【００９９】
図６を参照して説明したように、ステップＳＥ１０では、中央処理部５０は、電池残量と「必要な電池残量」との差が算出される。図９では、電池残量は、実線Ｌ１で示され、「必要な電池残量」は、一点鎖線ＬＡ１２で示される。
【０１００】
そして、これらの差から求められる差分割合が２０％を下回ると、ステップＳＥ３０の処理として説明したように、ユーザに対して警告が通知される。
【０１０１】
また、当該差分割合が１０％未満となると、ステップＳＥ５０〜ステップＳＥ７０の処理として説明したように、携帯電話機１００においてアプリケーションの実行に一定の制限が課せられる。
【０１０２】
そして、上記差が０になると、つまり、実線Ｌ１と一点鎖線ＬＡ１２が交わるようになると、ステップＳＥ９０の処理として説明したように、特定のアプリケーションのみが実行可能となる。
【０１０３】
以上、図９を参照して説明したように、本実施の形態のアプリ実行制御処理によれば、電池残量が最低限必要なアプリの実行に必要とされる電池残量まで低下すると、それ以降は、最低限実行を必要とされるアプリケーションのみが、実行される。
【０１０４】
なお、アプリ実行制御処理では、いきなり実行され得るアプリケーションの種類が制限される前に、ユーザに警告が通知される。これにより、ユーザは、最低限実行を必要とするアプリを実行し続けるために消費電力の節約が必要であることを、認識することができる。
【０１０５】
なお、図９は、アプリ制御処理の実行後、通話やメールの送受信が実行されなかったときの電池残量の変化を示す。一方、図１０に、アプリ制御処理の実行後、通話やメールの送受信が実行されたときの電池残量の変化を示す。
【０１０６】
図１０では、電池残量が実線Ｌ２で示されている。そして、「必要な電池残量」が破線ＬＡ２１で示され、それに待受けタイマが満了するまで待受けを行なうために必要な電池残量が加えられた電力量が、一点鎖線ＬＡ２２で示されている。図１０では、図９と同様に、時間変化とともに、「電波状況：良い」「電波状況：悪い」というように、携帯電話機１００が位置することが予定される場所の電波状況が記載されている。図１０に示された例では、時刻Ｔ２１までは、携帯電話機１００は、電波状況が良い場所に位置することが予定されている。また、時刻Ｔ２１では、携帯電話機１００は、電波状況が悪い位置へど移動する予定である。そして、時刻Ｔ２２に、携帯電話機１００は、電子状況が悪い位置から良い位置へと移動する予定である。
【０１０７】
図１０に示された例では、携帯電話機１００は、時刻Ｔ３１に、通話とメール送受信を行っている。これにより、実線Ｌ２で示される電池残量が減少を示している。その後も、待ち受けアプリが継続して使用される等により、電池残量が減少し、実線Ｌ２と一点鎖線ＬＡ２２との差から求められる差分割合が、２０％となると、上記した警告通知がなされる。また、差分割合が１０％となると、アプリの使用が制限される。
【０１０８】
図１０に示された例では、アプリの使用が制限された後、時刻Ｔ３２において、通話残り時間分の通話処理が実行され、かつ、メール残り回数分だけメールの送受信が行われたことが示されている。携帯電話機１００では、時刻Ｔ３２においても、待ち受け残り時間が満了するまでの間、待ち受けアプリを実行するための電池残量は残されている。
【０１０９】
以上説明されたアプリ制御処理では、特定のアプリケーションについての、設定された処理内容分の実行が確保される。
【０１１０】
具体的には、携帯電話機１００において、特定のアプリケーション（待ち受けアプリ、通話アプリ、および、メールアプリ）について、実行されるべき処理内容が入力される。待ち受けアプリについては、起動を継続する時間（待ち受け残り時間）が入力される。通話アプリについては、通話時間（通話残り時間）が入力される。メールアプリについては、メールの送受信回数（メール残り回数）が入力される。
【０１１１】
そして、携帯電話機１００では、これらの処理内容に必要な電力量が算出され、電池残量と当該電力量との差が電池の満充電の電力量の２０％を下回ると、警告が通知される。なお、必要な電力量の算出の際に、待ち受けアプリ、通話アプリ、およびメールアプリの実行に必要な電力量は、携帯電話機１００が位置する場所において予定される電波状況を考慮されて、算出される。これにより、より実情に沿った態様で、携帯電話機１００における電池残量が想定される。なお、アプリの実行に要する電力量が電波状況に基づいて算出されるアプリケーションの種類は、これらに限定されない。アプリケーションの実行に際に基地局との通信を要するアプリケーションであれば、いかなるアプリケーションについても、その実行に要する電力量の算出に、携帯電話機１００が位置する場所に応じた電波状況が考慮され得る。
【０１１２】
また、電池残量と当該電力量との差が電池の満充電の電力量の１０％を下回ると、特定のアプリケーションと、一部のアプリケーションのみの実行が許可される。「一部のアプリケーション」は、ユーザによって設定される。なお、携帯電話機１００では、アプリケーションの実行履歴に基づいて「一部のアプリケーション」の候補を表示し、ユーザは、当該候補から選択することにより、「一部のアプリケーション」を設定しても良い。一部のアプリケーションとしては、たとえば、辞書を検索するためのアプリケーション（以下、「辞書アプリ」という）や、動画を再生するためのアプリケーション（以下、「動画アプリ」という）が挙げられる。
【０１１３】
そして、電池残量が当該電力量まで低下すると、特定のアプリケーション以外のアプリケーション（辞書アプリや動画アプリ）が実行されなくなる。つまり、特定のアプリケーションが上記所定内容に従って確実に実行されるように、アプリケーションの実行が制御される。
【０１１４】
また、以上説明した本実施の形態では、携帯端末の一例として携帯電話機１００が挙げられたが、携帯端末の具体例はこれに限定されない。たとえば、携帯端末は、通話機能を有していない情報端末であっても良い。
【０１１５】
今回開示された実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。実施の形態およびその変形例において開示された技術は、可能な限り単独でも組み合わせても実施され得ることが意図される。
【符号の説明】
【０１１６】
１２  記憶部、１４  電池ユニット、３０  タッチパネル、３１  ディスプレイ、３２  タッチセンサ、５０  中央処理部、６０  音声入出力部、６１  マイクロフォン、６２  スピーカ、７０  キー、８０  カメラ、９０  センサ、１００  携帯電話機、１１０  省電力制御部、１２０  ユーザ入力部、１３０  ユーザ出力部、１４０  電池残量取得部、１５０  アプリ管理部、１６０  通話アプリ部、１７０  アプリ部、１８０  メールアプリ部、１９０  スケジュールアプリ部。
【図１】
2014204184.tif 000003
【図２】
2014204184.tif 000004
【図３】
2014204184.tif 000005
【図４】
2014204184.tif 000006
【図５】
2014204184.tif 000007
【図６】
2014204184.tif 000008
【図７】
2014204184.tif 000009
【図８】
2014204184.tif 000010
【図９】
2014204184.tif 000011
【図１０】
2014204184.tif 000012